(57)【要約】【課題】  画像表示装置が設置されている空間の臨場感を高めることが可能な照明システム、および照明調整方法を提供する。【解決手段】  画像表示装置１の後側のローボード１００上に、後壁Ｗ１を下方から照らすように光軸を調整した照明器具２（例えばホリゾントライト）が配置され、画像表示装置１の表示面１ａの左右側端部から左右方向に略３００ｍｍ離れ、且つ表示面１ａの上下方向の中心高さに位置する測定点と、表示面１ａの上端部から上方向に略３００ｍｍ離れ、且つ表示面１ａの左右方向の中心に位置する測定点とにおける各鉛直面照度の平均値（壁面照度）を、画像表示装置１と画像観察者Ａの視点位置とを結ぶ空間の略中央に位置する床面Ｆの水平面照度（床面照度）で除した値（壁面照度／床面照度）を、０．５以上とする。【選択図】図１
2006019095.tif 000002
【特許請求の範囲】
【請求項１】
壁面の前方に設置された画像表示装置の表示面の左右側端部から左右方向に略３００ｍｍ離れ、且つ画像表示装置の表示面の上下方向の中心高さに位置する前記壁面の第１の鉛直面照度と、画像表示装置の表示面上端部から上方向に略３００ｍｍ離れ、且つ画像表示装置の表示面の左右方向の中心に位置する前記壁面の第２の鉛直面照度との平均値で表される壁面照度を、画像表示装置と画像観察者の視点位置とを結ぶ空間の略中央に位置する床面の水平面照度で除した値が０．５以上となる照明器具を備えることを特徴とする照明システム。
【請求項２】
前記照明器具は、画像観察者の位置から画像表示装置を中心に略３０°の視野領域内において輝度１０００ｃｄ／ｍ２以上の領域を略０．００３％未満とし、画像表示装置の表示面の左右側端部から左右方向に略３００ｍｍ離れ、且つ画像表示装置の表示面の上下方向の中心高さに位置する前記壁面の輝度と、画像表示装置の表示面上端部から上方向に略３００ｍｍ離れ、且つ画像表示装置の表示面の左右方向の中心に位置する前記壁面の輝度との平均値で表される壁面輝度を、画像表示装置の表示面の略中央の平均輝度で除した値を０．１以上とすることを特徴とする請求項１記載の照明システム。
【請求項３】
前記照明器具は前記床面の水平面照度を調整可能であり、前記壁面照度を前記床面の水平面照度で除した値が０．５未満から０．５以上の間で可変となることを特徴とする請求項１記載の照明システム。
【請求項４】
前記照明器具は、前記壁面の第１の鉛直面照度と、前記壁面の第２の鉛直面照度と、前記床面の水平面照度とを同時に調整可能であり、前記壁面照度を前記床面の水平面照度で除した値が０．５未満から０．５以上の間で可変となって、前記壁面照度を前記床面の水平面照度で除した値が０．５以上の時は、画像観察者の位置から画像表示装置を中心に略３０°の視野領域内において輝度１０００ｃｄ／ｍ２以上の領域が略０．００３％未満であり、画像表示装置の表示面の左右側端部から左右方向に略３００ｍｍ離れ、且つ画像表示装置の表示面の上下方向の中心高さに位置する前記壁面の輝度と、画像表示装置の表示面上端部から上方向に略３００ｍｍ離れ、且つ画像表示装置の表示面の左右方向の中心に位置する前記壁面の輝度との平均値で表される壁面輝度を、画像表示装置の表示面の略中央の平均輝度で除した値が０．１以上となることを特徴とする請求項１記載の照明システム。
【請求項５】
壁面の前方に設置された画像表示装置の表示面の左右側端部から左右方向に略３００ｍｍ離れ、且つ画像表示装置の表示面の上下方向の中心高さに位置する前記壁面の鉛直面照度と、画像表示装置の表示面上端部から上方向に略３００ｍｍ離れ、且つ画像表示装置の表示面の左右方向の中心に位置する前記壁面の鉛直面照度との平均値で表される壁面照度を、画像表示装置と画像観察者の視点位置とを結ぶ空間の略中央に位置する床面の水平面照度で除した値が０．５以上となるように調整することを特徴とする照明調整方法。
【請求項６】
画像観察者の位置から画像表示装置を中心に略３０°の視野領域内において輝度１０００ｃｄ／ｍ２以上の領域が略０．００３％未満であり、画像表示装置の表示面の左右側端部から左右方向に略３００ｍｍ離れ、且つ画像表示装置の表示面の上下方向の中心高さに位置する前記壁面の輝度と、画像表示装置の表示面上端部から上方向に略３００ｍｍ離れ、且つ画像表示装置の表示面の左右方向の中心に位置する前記壁面の輝度との平均値で表される壁面輝度を、画像表示装置の表示面の略中央の平均輝度で除した値が０．１以上となるように調整することを特徴とする請求項５記載の照明調整方法。
【発明の詳細な説明】
【技術分野】
【０００１】
本発明は、画像表示装置が設置されている室内の照明システム、および照明調整方法に関するものである。
【背景技術】
【０００２】
テレビジョン受像機等の画像表示装置の視認性（見やすさ）の向上を目的として、画像表示装置の表示面輝度と、表示面の左右方向のある限定された領域の輝度（側方輝度）との比率を規定した照明装置がある。（例えば、特許文献１参照）
【特許文献１】特開２００２−１３４２８５号公報（段落番号［００２１］、図１）
【発明の開示】
【発明が解決しようとする課題】
【０００３】
上記従来技術では、表示面の見やすさには注目しているが、空間の臨場感については考慮されていない。一般に、映画、スポーツ競技、音楽コンサート等のように画像観察者（画像の鑑賞者）の嗜好性がより反映される画像を見る場合は、視認性だけでなく、その画像情報にのめり込むような臨場感が要求される。
【０００４】
本発明は、上記事由に鑑みてなされたものであり、その目的は、画像表示装置が設置されている空間の臨場感を高めることが可能な照明システム、および照明調整方法を提供することにある。
【課題を解決するための手段】
【０００５】
請求項１の発明は、壁面の前方に設置された画像表示装置の表示面の左右側端部から左右方向に略３００ｍｍ離れ、且つ画像表示装置の表示面の上下方向の中心高さに位置する前記壁面の第１の鉛直面照度と、画像表示装置の表示面上端部から上方向に略３００ｍｍ離れ、且つ画像表示装置の表示面の左右方向の中心に位置する前記壁面の第２の鉛直面照度との平均値で表される壁面照度を、画像表示装置と画像観察者の視点位置とを結ぶ空間の略中央に位置する床面の水平面照度で除した値が０．５以上となる照明器具を備えることを特徴とする。
【０００６】
この発明によれば、画像観察者は、画像表示装置の画像に対して、従来の照明環境に比べて高い臨場感を得ることができる。
【０００７】
請求項２の発明は、請求項１において、前記照明器具は、画像観察者の位置から画像表示装置を中心に略３０°の視野領域内において輝度１０００ｃｄ／ｍ２以上の領域を略０．００３％未満とし、画像表示装置の表示面の左右側端部から左右方向に略３００ｍｍ離れ、且つ画像表示装置の表示面の上下方向の中心高さに位置する前記壁面の輝度と、画像表示装置の表示面上端部から上方向に略３００ｍｍ離れ、且つ画像表示装置の表示面の左右方向の中心に位置する前記壁面の輝度との平均値で表される壁面輝度を、画像表示装置の表示面の略中央の平均輝度で除した値を０．１以上とすることを特徴とする。
【０００８】
この発明によれば、画像観察者は、画像表示装置の画像に対して、従来の照明環境に比べて高い視認性を得ることができ、空間の臨場感と画像の見やすさとの両方を得ることができる。
【０００９】
請求項３の発明は、請求項１において、前記照明器具は前記床面の水平面照度を調整可能であり、前記壁面照度を前記床面の水平面照度で除した値が０．５未満から０．５以上の間で可変となることを特徴とする。
【００１０】
この発明によれば、画像を見ない時にも適切な照明環境とすることができる。
【００１１】
請求項４の発明は、請求項１において、前記照明器具は、前記壁面の第１の鉛直面照度と、前記壁面の第２の鉛直面照度と、前記床面の水平面照度とを同時に調整可能であり、前記壁面照度を前記床面の水平面照度で除した値が０．５未満から０．５以上の間で可変となって、前記壁面照度を前記床面の水平面照度で除した値が０．５以上の時は、画像観察者の位置から画像表示装置を中心に略３０°の視野領域内において輝度１０００ｃｄ／ｍ２以上の領域が略０．００３％未満であり、画像表示装置の表示面の左右側端部から左右方向に略３００ｍｍ離れ、且つ画像表示装置の表示面の上下方向の中心高さに位置する前記壁面の輝度と、画像表示装置の表示面上端部から上方向に略３００ｍｍ離れ、且つ画像表示装置の表示面の左右方向の中心に位置する前記壁面の輝度との平均値で表される壁面輝度を、画像表示装置の表示面の略中央の平均輝度で除した値が０．１以上となることを特徴とする。
【００１２】
この発明によれば、画像を見ない時にも適切な照明環境としながら、画像観察者は、空間の臨場感と画像の見やすさとの両方を得ることができる。
【００１３】
請求項５の発明は、壁面の前方に設置された画像表示装置の表示面の左右側端部から左右方向に略３００ｍｍ離れ、且つ画像表示装置の表示面の上下方向の中心高さに位置する前記壁面の鉛直面照度と、画像表示装置の表示面上端部から上方向に略３００ｍｍ離れ、且つ画像表示装置の表示面の左右方向の中心に位置する前記壁面の鉛直面照度との平均値で表される壁面照度を、画像表示装置と画像観察者の視点位置とを結ぶ空間の略中央に位置する床面の水平面照度で除した値が０．５以上となるように調整することを特徴とする。
【００１４】
この発明によれば、画像観察者は、画像表示装置の画像に対して、従来の照明環境に比べて高い臨場感を得ることができる。
【００１５】
請求項６の発明は、請求項５において、画像観察者の位置から画像表示装置を中心に略３０°の視野領域内において輝度１０００ｃｄ／ｍ２以上の領域が略０．００３％未満であり、画像表示装置の表示面の左右側端部から左右方向に略３００ｍｍ離れ、且つ画像表示装置の表示面の上下方向の中心高さに位置する前記壁面の輝度と、画像表示装置の表示面上端部から上方向に略３００ｍｍ離れ、且つ画像表示装置の表示面の左右方向の中心に位置する前記壁面の輝度との平均値で表される壁面輝度を、画像表示装置の表示面の略中央の平均輝度で除した値が０．１以上となるように調整することを特徴とする。
【００１６】
この発明によれば、画像観察者は、画像表示装置の画像に対して、従来の照明環境に比べて高い視認性を得ることができ、空間の臨場感と画像の見やすさとの両方を得ることができる。
【発明の効果】
【００１７】
以上説明したように、本発明では、画像表示装置が設置されている空間の臨場感を高めることが可能な照明システム、および照明調整方法を提供することができるという効果がある。
【発明を実施するための最良の形態】
【００１８】
まず、本発明の技術根拠となる実験結果について図面に基づいて説明する。
【００１９】
一般の家庭用テレビに比べて大きな画像表示装置を用いて空間の臨場感と画像の視認性（見やすさ）とについて主観評価実験を行った。この主観評価実験の流れを以下に示す。１．画像観察者（被験者）は暗室環境に５分間順応する。２．実験を行う者は評価する照明環境に設定する。３．画像観察者は設定された照明環境に１分間順応する。４．画像観察者は画像表示装置の画像を約２分間観察する。５．画像観察者は空間の印象や観察した画像の見やすさについて主観評価を行う。６．上記手順２〜５を実験を行う全ての照明環境について繰り返す。
【００２０】
実際に使用した環境を図１０、図１１に示す。照明環境の変更は使用する照明器具、およびその照明器具の調光レベルを変化させることで対応した。実験環境は、一般家庭のリビング空間Ｌを用い、リビング空間Ｌは略直方体状の空間であり、リビング空間Ｌの後壁Ｗ１側にはローボード１００が後壁Ｗ１に沿って床面Ｆ上に配置され、ローボード１００上には画像表示装置１が載置されている。そして、画像表示装置１の前方には後壁Ｗ１に対向した前壁Ｗ２があり、この前壁Ｗ２側には画像観察者Ａが位置する。画像観察者Ａから画像表示装置１方向を見て右側には側壁Ｗ３と遮光カーテン１０１とが設けられ、左側にはダイニングキッチン空間ＤＫが存在する。ここで、リビング空間Ｌの左右方向の幅は３０００ｍｍであり、後壁Ｗ１から画像観察者Ａまでの前後方向の観測距離は３５００ｍｍである。
【００２１】
リビング空間Ｌの天井面Ｗ４は床面Ｆから２４００ｍｍの高さがあり、この天井面Ｗ４には、画像表示装置１の左右方向両側に１つづつ設けられて画像表示装置１の前方近傍を照らす一対のダウンライト１０ａおよび一対のダウンライト１０ｂと、画像表示装置１の左右方向の幅と略同一幅に形成されて画像表示装置１の前方近傍を照らす間接光ライト１１と、画像表示装置１の左右方向両側に１つづつ設けられて後壁Ｗ１を照らすスポットライト１２と、リビング空間Ｌの略中央に設置されてリビング空間Ｌ全体を照らすシーリングライト１３とが取り付けられる。ここで、ダウンライト１０ａ，１０ｂおよびスポットライト１２は、後壁Ｗ１から前方向に６００ｍｍ離れた位置に取り付けられ、間接光ライト１１は、後壁Ｗ１から前方向に８００ｍｍ離れた位置に取り付けられ、シーリングライト１３は、画像表示装置１の前面から前方向に１８５０ｍｍ離れ、且つ側壁Ｗ３から左方向に１６００ｍｍ離れた位置に取り付けられる。また、画像表示装置１の左右に設けられた一対のダウンライト１０ａの間隔は１２００ｍｍに設定される。なお、１対のダウンライト１０ａの中央に画像表示装置１は配置されるが、今回用いた実験室の制約上、１対のダウンライト１０ｂは、画像表示装置１に対して右にずれた位置に設けられており、ダウンライト１０ａとダウンライト１０ｂとは照明環境に応じていずれか一方のみが点灯する。
【００２２】
さらに、画像表示装置１の後側のローボード１００上には、画像表示装置１の左右方向の幅と略同一幅に形成されて後壁Ｗ１を下方から照らすホリゾントライト１４が配置されている。
【００２３】
また、後壁Ｗ１の高さ１８００ｍｍの位置には、画像表示装置１を挟んでブラケット１５が１７００ｍｍ間隔で取り付けられ、後壁Ｗ１を上方から照らしている。
【００２４】
なお、画像表示装置１は画面サイズ４２インチのプラズマディスプレイを用い、評価画像はある映画の１シーン（約２分間）を用いた。画像観察者Ａは照明環境の雰囲気を判断することができる男女１４名（年齢２７〜３８歳）とした。
【００２５】
本実験では、画像表示装置１の後方にある後壁Ｗ１の明るさを代表する位置として、図１２に示すように画像表示装置１の表示面１ａの左右側端部から左右方向に距離Ｘ１＝３１０ｍｍ離れ、且つ表示面１ａの上下方向の中心高さに位置する測定点Ｐ１，Ｐ２を採用した。さらに、表示面１ａが大きくなると観測距離が長くなり、表示面１ａの周囲（特に上部）が画像の視認性に影響することが予想された。そこで、表示面１ａの上端部から上方向に距離Ｘ１＝３１０ｍｍ離れ、且つ表示面１ａの左右方向の中心に位置する測定点Ｐ３も後壁Ｗ１の明るさを代表する位置として採用した。
【００２６】
このような環境において、まず空間の臨場感について実験を行い、各ランプを調光制御することで、後壁Ｗ１の測定点Ｐ１，Ｐ２（第１の鉛直面照度）およびＰ３（第２の鉛直面照度）における各鉛直面照度の平均値（壁面照度）を、画像表示装置１と画像観察者Ａの視点位置とを結ぶ空間の略中央に位置する床面Ｆの水平面照度（床面照度）で除した値（壁面照度／床面照度）を変化させて、画像観察者Ａが各実験条件での空間の臨場感を評価した。ここで、臨場感の評価は、１（非常に臨場感がない）〜７（非常に臨場感がある）の７段階で行った。図１３はその評価結果をグラフに表したもので、横軸は（壁面照度／床面照度）、縦軸が臨場感の評価値を示し、（壁面照度／床面照度）が大きいほど、臨場感が増している。
【００２７】
次に、画像の見やすさについて実験を行った。これは、各ランプを調光制御することで、後壁Ｗ１の測定点Ｐ１〜Ｐ３における各輝度の平均値（壁面輝度）を、画像表示装置１の表示面１ａの略中央の平均輝度（表示面輝度）で除した値（壁面輝度／表示面輝度）を変化させて、画像観察者Ａが各条件での画像の見やすさを評価した。ここで、評価用の画像は動画像を用いたため、表示面輝度は表示面１ａ略中央の逐次輝度の平均値とし、見やすさの評価は、１（非常に見にくい）〜７（非常に見やすい）の７段階で行った。この実験の結果、画像観察者Ａの視野内にグレアが有る場合と、グレアが無い場合とで評価結果の傾向が異なることがわかった。そこで、各実験条件で画像観察者Ａからみた輝度分布測定を行い、画像観察者Ａの位置から画像表示装置１を中心に略３０°の視野領域内において、一般的に光源であると知覚される輝度１０００ｃｄ／ｍ２以上の領域が０．００３％未満の照明環境をグレア無し、０．００３％以上の照明環境をグレア有りとして解析を行った。図１４は、１４個の実験条件について、輝度１０００ｃｄ／ｍ２以上の領域比率、グレア有無の分類の各結果を示す。そして、図１５はグレア無し時の評価結果、図１６はグレア有り時の評価結果をグラフに各々表したもので、横軸は（壁面輝度／表示面輝度）、縦軸が見やすさの評価値を示す。グレア無し時においては、（壁面輝度／表示面輝度）が１に近付くほど、見やすさが向上する。グレア有り時においては、（壁面輝度／表示面輝度）が大きくなると見やすさが低下することがわかった。
【００２８】
なお本実験では、表示面１ａの端部から各測定点Ｐ１〜Ｐ３までの距離Ｘ１（図１２参照）を３１０ｍｍとしたが、距離Ｘ１は略３００ｍｍであれば、本実験の上記結果を得ることができ、後述する各実施形態において距離Ｘ１は略３００ｍｍであればよい。
【００２９】
上記実験結果を技術根拠として、以下、本発明の実施の形態を図面に基づいて説明する。
【００３０】
（実施形態１）
図１３に示す臨場感の評価実験から、後壁Ｗ１の測定点Ｐ１〜Ｐ３（図１２参照）における各鉛直面照度の平均値（壁面照度）を、画像表示装置１と画像観察者Ａの視点位置とを結ぶ空間の略中央に位置する床面Ｆの水平面照度（床面照度）で除した値（壁面照度／床面照度）を０．５以上とすると、臨場感の評価値が中間値である４を超え、一般の照明環境と比較して空間の臨場感が向上する。
【００３１】
そこで本実施形態は、（壁面照度／床面照度）を０．５以上にしたもので、その構成を図１に示す。リビング空間Ｌの構成、およびローボード１００上の画像表示装置１と画像観察者Ａとの位置関係は図１０、図１１と略同様である。なお本実施形態では、図１２における画像表示装置１の表示面１ａの端部と各測定点Ｐ１〜Ｐ３との距離Ｘ１＝３００ｍｍとした。
【００３２】
本実施形態の照明システムでは、画像表示装置１の後側のローボード１００上に、後壁Ｗ１を下方から照らすように光軸を調整した照明器具２（例えばホリゾントライト）が配置されている。照明器具２は、図２に示すように、断面略Ｕ字状の反射板２ａ内に光源２ｂが収納され、反射板２ａに取着した台座２ｃを介してローボード１００上に載置されている。反射板２ａの開口は後壁Ｗ１を下方から照らすように斜め上方向に調整されて、後壁Ｗ１を重点的に照らすような配光としている。光源２ｂは蛍光灯、電球、ＬＥＤ等であり、その種類は限定されない。なお、光源２ｂを点灯させるための安定器や電源ユニット等の本発明とは直接関係のない部分は省略している。
【００３３】
このように、後壁Ｗ１を重点的に照らす照明器具２を画像表示装置１の後側に配置することで、（壁面照度／床面照度）を０．５以上にすることができ、その結果、画像観察者Ａは、画像表示装置１の画像に対して、従来の照明環境に比べて高い臨場感を得ることができる。
【００３４】
なお、表示面１ａの端部から各測定点Ｐ１〜Ｐ３までの距離Ｘ１（図１２参照）は３００ｍｍに限定されるものではなく、距離Ｘ１は略３００ｍｍであれば同様の効果を得ることができる。
【００３５】
（実施形態２）
本実施形態の照明システムでは、図３に示すように、後壁Ｗ１を上方から照らすように光軸を調整した照明器具３を、画像表示装置１の上方の天井面Ｗ４に取り付けている。
【００３６】
照明器具３は、図４に示すように、断面略Ｕ字状の反射板３ａ内に光源３ｂが収納され、反射板３ａに取着した台座３ｃを介して天井面Ｗ４に取り付けられている。反射板３ａの開口は後壁Ｗ１を上方から照らすように斜め下方向に調整されて、後壁Ｗ１を重点的に照らすような配光としている。光源３ｂは蛍光灯、電球、ＬＥＤ等であり、その種類は限定されない。なお、光源３ｂを点灯させるための安定器や電源ユニット等の本発明とは直接関係のない部分は省略している。
【００３７】
このように、後壁Ｗ１を重点的に照らす照明器具３を天井面Ｗ４に取り付けることで、（壁面照度／床面照度）を０．５以上にすることができ、その結果、画像観察者Ａは、画像表示装置１の画像に対して、従来の照明環境に比べて高い臨場感を得ることができる。
【００３８】
また最近、家庭用画像表示装置の表示面サイズが大型化および横長化（ワイド化）してきているため、観測距離が従来よりも長くなり、結果として、観察する視野内において画像表示装置１と観察者Ａとの間の床面Ｆや天井面Ｗ４等の画像表示面以外の領域が大きくなってきている。したがって、従来例のように画像表示面の側方輝度の影響だけを考慮したとしても、見やすさを最適に確保することが難しくなっている。
【００３９】
したがって、図１５に示す見やすさの評価実験から、グレアが無い照明環境（画像観察者Ａの位置から画像表示装置１を中心に略３０°の視野領域内において、一般的に光源であると知覚される輝度１０００ｃｄ／ｍ２以上の領域が０．００３％未満）の場合、後壁Ｗ１の測定点Ｐ１〜Ｐ３（図１２参照）における各輝度の平均値（壁面輝度）を、画像表示装置１の表示面１ａの略中央の平均輝度で除した値（壁面輝度／表示面輝度）を０．１以上とすると、見やすさの評価値が５．５以上となり、一般の照明環境と比較して見やすさが向上する。ここで評価値の基準を５．５以上としたのは、画像表示装置１の見やすさは、グレアを感じる等の非常に劣悪な照明環境以外では、見にくいと判断されることはなく、見やすさの評価は４〜７に集中するので、評価値４〜７までを正規化し、その平均値である評価値５．５以上であれば平均よりも見やすいといえるからである。なお、本実施形態では表示面１ａの端部から各測定点Ｐ１〜Ｐ３までの距離Ｘ１（図１２参照）を３００ｍｍとしているが、距離Ｘ１は略３００ｍｍであれば同様の効果を得ることができる。
【００４０】
そこで本実施形態の照明器具３は、画像表示装置１後方の後壁Ｗ１を照らし、且つ画像表示装置１前方に位置する画像観察者Ａの視線に光源や反射光が入らないように配光を調整しており、画像観察者Ａにグレアを感じさせないようにして、画像表示装置１後方の後壁Ｗ１を照らしている。したがって、グレアが無い状態で後壁Ｗ１を効率よく明るくして、（壁面輝度／表示面輝度）を０．１以上にすることができ、その結果、画像観察者Ａは、画像表示装置１の画像に対して、従来の照明環境に比べて高い視認性を得ることができ、見やすい画像となる。
【００４１】
このように、本実施形態では空間の臨場感と画像の見やすさとの両方を得ることができる。
【００４２】
なお参考例として、画像の見やすさのみを得る場合には、図５に示すように、画像表示装置１の上方の天井面Ｗ４に取り付けられた照明器具９を用いればよい。
【００４３】
照明器具９は、図６に示すように、断面略Ｕ字状の反射板９ａ内に光源９ｂが収納され、反射板９ａを収納したハウジング９ｃを天井面Ｗ４に埋め込んでいる。反射板９ａの開口は画像表示装置１を上方から照らすように下方向に形成される。
【００４４】
そして、画像観察者Ａの視線に光源や反射光が入らないように、ハウジング９ｃの下端前辺から下方に遮光板９ｄを設けている。遮光板９ｄの大きさは、リビング空間Ｌや照明器具９の大きさによって異なるが、図１０、図１１に示すような一般的なリビングでは、反射板９ａの開口に対して略０．６倍（ｔａｎ３０°）の高さの遮光板９ｄが適切である。画像観察者Ａから見えない遮光板９ｄの後面には、後壁Ｗ１を効率的に照らすために反射材９ｅを用いている。反射材９ｅは拡散、鏡面は問わない。
【００４５】
したがって、グレアが無い状態で後壁Ｗ１を効率よく明るくして、（壁面輝度／表示面輝度）を０．１以上にすることができ、その結果、画像観察者Ａは、画像表示装置１の画像に対して、従来の照明環境に比べて高い視認性を得ることができ、見やすい画像となる。
【００４６】
（実施形態３）
一般的な居住空間では画像を見ることだけが目的ではなく、食事や団欒等の様々な行為が行われている。そこで本実施形態の照明システムは、図７に示すように、画像を見ない時は一般的な照明空間と同様に部屋全体を照明し、画像を見る時には実施形態１，２と同様に高い臨場感を得ることができる照明器具４を備えている。
【００４７】
本実施形態の照明器具４は、実施形態１、２と同様のリビング空間Ｌの天井面Ｗ４に取り付けられるもので、下方向を照らす下方照明部４１と、側方を照らす側方照明部４２とから構成される。下方照明部４１は、環形の蛍光灯４ｂを椀型のカバー４ａ内に収納して構成され、側方照明部４２は、カバー４ａの上側に断面略Ｕ字状の環形の反射板４ｃを設けて反射板４ｃ内に環形の蛍光灯４ｄを収納して構成される。ここで、蛍光灯４ｄは蛍光灯４ｂより径が小さく、反射板４ｃの開口は側方に形成されており、蛍光灯４ｄは、その全周から側方を照明し、下方向を照明しないように遮光されている。また、照明器具４はカバー４ａの略中央から上方に突設した取付部４ｅを介して天井面Ｗ４に取り付けられる。
【００４８】
この照明器具４は、下方照明部４１および側方照明部４２の点灯制御、調光制御によって、後壁Ｗ１の測定点Ｐ１〜Ｐ３における各鉛直面照度と、画像表示装置１と画像観察者Ａの視点位置とを結ぶ空間の略中央に位置する床面Ｆの水平面照度（床面照度）とを同時に調整可能であり、測定点Ｐ１〜Ｐ３における各鉛直面照度の平均値（壁面照度）を上記床面Ｆの水平面照度で除した値（壁面照度／床面照度）が、０．５未満から０．５以上の間で可変となる。あるいは、上記床面Ｆの水平面照度のみを調整可能として、（壁面照度／床面照度）を０．５未満から０．５以上の間で可変としてもよい。
【００４９】
そして、画像表示装置１の画像を見ない時は、下方照明部４１のみの点灯、または下方照明部４１と側方照明部４２両方の点灯によって、（壁面照度／床面照度）を０．５未満としてリビング空間Ｌ全体を明るく照らすことができ、画像を見ない時にも適切な照明環境となる。
【００５０】
一方、画像表示装置１の画像を見る時は、側方照明部４２のみの点灯、または下方照明部４１と側方照明部４２両方を調光制御することで、実施形態１，２と同様に（壁面照度／床面照度）を０．５以上とし、従来の照明環境に比べて高い臨場感を得ることができる。さらには、画像表示装置１前方に位置する画像観察者Ａの視線に光源や反射光が入らないようにしており、画像観察者Ａにグレアを感じさせないようにして、画像表示装置１後方の後壁Ｗ１を照らしている。したがって、グレアが無い状態で後壁Ｗ１を効率よく明るくして、（壁面輝度／表示面輝度）を０．１以上にすることができ、その結果、画像観察者Ａは、画像表示装置１の画像に対して、従来の照明環境に比べて高い視認性を得ることができ、見やすい画像となる。
【００５１】
このように、本実施形態では、画像を見ない時にも適切な照明環境としながら、空間の臨場感と画像の見やすさとの両方を得ることができる。
【００５２】
（実施形態４）
図８は本実施形態の照明器具４を示し、実施形態３とは側方照明部４２の構成が異なるもので、側方照明部４２は、環形の反射板４ｃ内に半周毎に互いに独立して調光可能な光源４ｇ，４ｈを設けている。一般的な画像観察状態を考えると、画像観察者Ａと画像表示装置１との間（中央に限らない）に照明器具４が設置される。よって、画像表示装置１の画像を見る時は、画像観察者Ａ方向への照明は不要であり、側方照明部４２は全周に亘って３６０°方向を照らす必要はない。したがって、側方照明部４２の光源４ｇを後壁Ｗ１側、光源４ｈを画像観察者Ａ側に向け、画像表示装置１の画像を見ない時は光源４ｇ，４ｈともに点灯させ、画像表示装置１の画像を見る時は光源４ｇを点灯させ且つ光源４ｈを消灯させることで、空間の臨場感をより向上させることができ、さらには省エネルギー化を実現することができる。
【００５３】
（実施形態５）
図９は本実施形態の照明器具４を示し、実施形態４の画像観察者Ａ側の光源４ｈを削除したもので、半環形の反射板４ｆ内に光源４ｇを設けている。したがって、実施形態４と同様に空間の臨場感の向上、省エネルギー化を実現できるとともに、実施形態４に比べて光源の調光制御ブロックを簡素化でき、コスト低減を実現できる。
【図面の簡単な説明】
【００５４】
【図１】本発明の実施形態１の照明システムの構成を示す側面図である。
【図２】同上の照明器具の構成を示す側面断面図である。
【図３】本発明の実施形態２の照明システムの構成を示す側面図である。
【図４】同上の照明器具の構成を示す側面断面図である。
【図５】同上の照明システムの参考例を示す側面図である。
【図６】同上の照明器具の参考例を示す側面断面図である。
【図７】本発明の実施形態３の照明器具の構成を示す側面断面図である。
【図８】本発明の実施形態４の照明器具の構成を示す側面断面図である。
【図９】本発明の実施形態５の照明器具の構成を示す側面断面図である。
【図１０】本発明の実験環境を示す上面図である。
【図１１】同上を示す側面図である。
【図１２】同上の照度測定位置を示す平面図である。
【図１３】同上の空間の臨場感の実験結果を示す図である。
【図１４】同上の実験条件毎におけるグレア有無の分類結果を示す図である。
【図１５】同上のグレア無し時における画像の見やすさの実験結果を示す図である。
【図１６】同上のグレア有り時における画像の見やすさの実験結果を示す図である。
【符号の説明】
【００５５】
１  画像表示装置
２  照明器具
１００  ローボード
Ａ  画像観察者
Ｌ  リビング空間
Ｆ  床面
Ｗ１  後壁
Ｗ４  天井面
【図１】
2006019095.tif 000003
【図２】
2006019095.tif 000004
【図３】
2006019095.tif 000005
【図４】
2006019095.tif 000006
【図５】
2006019095.tif 000007
【図６】
2006019095.tif 000008
【図７】
2006019095.tif 000009
【図８】
2006019095.tif 000010
【図９】
2006019095.tif 000011
【図１０】
2006019095.tif 000012
【図１１】
2006019095.tif 000013
【図１２】
2006019095.tif 000014
【図１３】
2006019095.tif 000015
【図１４】
2006019095.tif 000016
【図１５】
2006019095.tif 000017
【図１６】
2006019095.tif 000018